(57)【要約】【課題】飲用カップを閉鎖するための蓋１であって、飲用ストロー７と直接口飲み用の開口部８とを具備する、新規な蓋１および飲用装置を提供する。【解決手段】ストロー７に使用される蓋１の第１の部分２ａと口飲み用の開口部８に使用される第２の部分２ｂとの間の再区分は、蓋１のベース部２の表面積で表される場合に、２：１であることが好ましい。ストロー７および口飲み用の開口部８がそれぞれその中に収容される第１の空洞６ａおよび第２の空洞６ｂが、それぞれ、蓋１の第１の部分２ａおよび第２の部分２ｂの中に、蓋１の一方の側には第１のカバー５によって、蓋１の他方の側には第２のカバー１１および第３のカバー１３のそれぞれによってそれぞれ形成されかつ密封される。【選択図】図１
2014114077.tif 000002
【特許請求の範囲】
【請求項１】
飲用カップを閉鎖するための蓋（１）であって、
当該蓋（１）を前記飲用カップに装着するためのベース部（２）を備え、
前記ベース部（２）が、円周側壁（３）と、前記ベース部（２）を第１の部分（２ａ）および第２の部分（２ｂ）に分けるための横断壁（４）とを備え、または、前記ベース部に、円周側壁と、前記ベース部を第１の部分および第２の部分に分けるための横断壁とが設けられ、
当該蓋が、第１のカバー（５）をさらに備え、前記第１のカバーが、前記ベース部（２）の前記第１の部分（２ａ）と前記第１のカバー（５）との間に第１の空洞（６ａ）を形成し、かつ、前記ベース部（２）の前記第２の部分（２ｂ）と前記第１のカバー（５）との間に第２の空洞（６ｂ）を形成するために、少なくとも前記円周側壁（３）に装着され、
前記第１の空洞（６ａ）が飲用ストロー（７）を収容し、前記第２の空洞（６ｂ）が口飲み用の開口部（８）を収容する、蓋（１）。
【請求項２】
前記ベース部（２）の前記第１の部分（２ａ）と前記第２の部分（２ｂ）との面積比が１：１より大きい、好ましくは２：１である、請求項１に記載の蓋（１）。
【請求項３】
前記第１のカバー（５）が接着膜である、請求項１または２に記載の蓋（１）。
【請求項４】
前記第１のカバー（５）が取外し可能でありかつ再装着可能である、請求項１〜３のいずれか一項に記載の蓋（１）。
【請求項５】
前記第１のカバー（５）が印刷可能である、請求項１〜４のいずれか一項に記載の蓋（１）。
【請求項６】
前記第１のカバー（５）が切込みにより２つの部分（５ａ、５ｂ）にされ、したがって第１の部分（５ａ）が前記第１の空洞（６ａ）を形成し、第２の部分（５ｂ）が前記第２の空洞（６ｂ）を形成し、
前記２つの部分（５ａ、５ｂ）が前記横断壁（４）に装着される、請求項１〜５のいずれか一項に記載の蓋（１）。
【請求項７】
前記第１のカバー（５）の前記第１および第２の部分（５ａ、５ｂ）にそれぞれ、前記円周側壁（３）から前記第１および第２の部分（５ａ、５ｂ）のそれぞれを取り除くための突出要素（９ａ、９ｂ）が設けられる、請求項６に記載の蓋（１）。
【請求項８】
開封明示閉鎖体によって前記飲用カップに固定可能である、請求項１〜７のいずれか一項に記載の蓋（１）。
【請求項９】
前記飲用ストロー（７）が、折り畳まれた飲用ストローであり、好ましくはプラスチック製である、請求項１〜８のいずれか一項に記載の蓋（１）。
【請求項１０】
前記第１の部分（２ａ）において、前記ベース部（２）が前記飲用ストロー（７）をぴったりと挿入するためのストロー開口部（１０）を有する、請求項１〜９のいずれか一項に記載の蓋（１）。
【請求項１１】
前記ストロー開口部（１０）が、第２のカバー（１１）、好ましくはアルミニウム膜で密封され、
前記飲用ストロー（７）が、前記第２のカバーを穿孔するように形作られた第１の端部（７ａ）を有する、請求項１０に記載の蓋（１）。
【請求項１２】
前記飲用ストロー（７）が、その第１の端部（７ａ）を前記第２のカバー（１１）の真上にして配置される、請求項１０または１１に記載の蓋（１）。
【請求項１３】
前記第２の空洞（６ｂ）が、前記口飲み開口部（８）を含む口飲み用の構造（１２）を収容する、請求項１〜１２のいずれか一項に記載の蓋（１）。
【請求項１４】
前記口飲み開口部（８）が、剥離可能な第３のカバー（１３）、好ましくはアルミニウム膜で密封される、請求項１〜１３のいずれか一項に記載の蓋（１）。
【請求項１５】
飲用可能な液体製品または半液体製品を保持するためのカップ、好ましくはプラスチックカップと、
前記カップに装着されかつ前記カップを閉鎖する、請求項１〜１４のいずれか一項に記載の蓋（１）と、
を備える飲用装置。
【発明の詳細な説明】
【技術分野】
【０００１】
本発明は、飲用カップを閉鎖するための蓋に関し、詳細には、ストローを収容しかつ口飲み（mouth  drinking）に適した開封明示蓋（tamper-evident  lid）に関する。最新技術から、飲用カップ用の標準的なプラスチックもしくはボール紙の蓋が知られており、この蓋は、飲用ストローを蓋から飲用カップ内に挿入するための切込みの入った十字挿入部、または、保護用の剥離可能もしくは穿孔可能な膜によって完成製品との接触から保護されるストロー用のアクセス可能領域を備える。
【背景技術】
【０００２】
一般に、飲用ストローは別個の包みとして提供される。しかし、別個の飲用ストローは包装すらされないことが多い、というのは、飲用ストローは、バー、パブ、カフェテリアおよびその他の家庭外の場所で飲み物を供する場合に観察されるように、売り場で製品と一緒に直接与えられるからである。いずれにせよ、飲用ストローは、消費者によって十字挿入部内にまたはストロー用のアクセス可能領域内に挿入される必要がある。
【０００３】
したがって、標準的なプラスチック蓋の解決策は衛生的に安全ではなく、さらに、ストローに関する解決策もまた、ストローが個々にフローパック（flowpacked）されていない場合または包装されていない場合に衛生的でない。加えて、標準的な解決策では、ストローがオペレータによって消費者に直接与えられるか、または消費者によって取られる必要があり、売り場でストローが品切れになったり売り場の在庫を継続的に補充したりするというリスクを伴う。さらに、製品を飲用カップから口で直接飲むために、標準的なプラスチック蓋はカップから取り除かれる必要がある。
【発明の概要】
【発明が解決しようとする課題】
【０００４】
最新技術では、プラスチック蓋から挿入され、同時にプラスチック蓋に装着される飲用ストローについて説明している。飲用ストロー自体は、プラスチック蓋が設けられた飲用カップを輸送する間のこぼれを回避するために、ある種の栓によって閉鎖可能である。カップから飲む場合、飲用ストローを抜くことがある。しかし、飲用ストローを装着しているこの種のプラスチック蓋は積み重ね不可能であり、その上、衛生上の問題もある。
【０００５】
さらに、飲用可能製品を収容するテトラパック（商標）または同様のタイプの複合包装材料が最新技術から知られている。飲用ストローはテトラパック（商標）の側面に接着されることが多い。テトラパック（商標）の欠点は、テトラパック（商標）が、飲むためにテトラパック（商標）を直接口に当てるようには設計されていないこと、または、飲むためのアクセス可能領域が存在しても、容易には飲用できないことである。加えて、テトラパック（商標）の側面に装着された飲用ストローは、潜在的に、例えば生産中または輸送中に、損傷を受けたり、汚染されたり、紛失したりする可能性がある。
【０００６】
米国特許出願公開第２００２／００５０５１４号明細書は、一体の密封フラップを有する使い捨て容器を開示している。容器が満たされると、容器は、容器の最上部を一体に圧搾するかまたは折り畳むことによって閉鎖される。次いで、容器は、閉鎖された容器の片側の上方で一体の密封フラップを折り畳むことによって密封される。密封フラップは、一体の飲用ストロー、注ぎ口、および容器の過剰充填を防止するための充填ラインを具備することができる。一体の飲用ストローは、容器に固定されるか、容器から突出しているか、または容器の一部であるので、少なくとも一部が常に容器の外部に位置しており、したがって、例えば生産中または輸送中に損傷を受けかつ／または汚染される可能性がある。
【０００７】
国際公開第９５／２３７４４号パンフレットは、特別なストローソケットを有するカバーを備える使い捨てカップを開示しており、飲用ストローがソケットを通じてカップ内へ差し込まれうる。飲用ストローは別個の部品であり、したがって汚染されかつ／または紛失する可能性がある。
【０００８】
上記に鑑みて、本発明は既知の最新技術を改善しようとするものである。特に、本発明は、別個の包装要素が、消費者によって結合されなければならないか、または飲料製品が売られたり供されたりする売り場でオペレータによって提供されなければならないことを回避するために、飲用ストローおよび蓋に関する便利なオールインワンの解決策を提供しようとするものである。さらに、本発明は、飲用ストローまたは直接飲む領域に関連する衛生問題を克服することを望むものである。本発明の別の目的は、飲用製品を、飲用製品が流れ出たりこぼれたりせずに消費できるようにすることである。
【０００９】
本発明は、添付の独立請求項によって上述の問題を解決する。添付の従属請求項は本発明のさらなる利点を展開する。
【課題を解決するための手段】
【００１０】
本発明は、飲用カップを閉鎖するための蓋に関し、この蓋は、蓋を飲用カップに装着するためのベース部を備え、ベース部は、円周側壁と、ベース部を第１の部分および第２の部分に分けるための横断壁とを備え、または、ベース部に、円周側壁と、ベース部を第１の部分および第２の部分に分けるための横断壁とが設けられ、上記蓋は、第１のカバーをさらに備え、第１のカバーは、ベース部の第１の部分と第１のカバーとの間に第１の空洞を形成し、かつ、ベース部の第２の部分と第１のカバーとの間に第２の空洞を形成するために、少なくとも円周側壁に装着され、第１の空洞は飲用ストローを収容し、第２の空洞は口飲み用の開口部を収容する。
【００１１】
本発明による蓋は使用に便利である、というのは、消費者が製品を飲用カップから飲む／消費するのに必要なすべての要素が蓋の中に収容されており、外部との接触から保護されるからである。さらに、飲用製品は、例えば自動販売機のように、オペレータが居なくても販売されうる。蓋が売り場でオペレータによって飲用カップ上に付着される場合、必要なすべての要素が既に蓋の中に収容されているので、より迅速なかつ衛生的により安全なサービスが可能である。
【００１２】
さらに、蓋は飲用ストローを固定している。ストローは、ストローが蓋の中にしっかりと保管されているので、離れ落ち紛失することがなく、輸送中に損傷を受けることもなく、簡単に汚染されることもない。
【００１３】
さらに、本発明は、ストローが製品と共に供されるときに保護包装材料内に個々にフローパックまたは包装される必要性を取り除く。このことは、ストローの包装が普通は消費者によって捨てられることが知られているので、生産者に材料および原価の節減をもたらすとともに、環境問題のさらなる解決策をもたらす。
【００１４】
本発明は環境に優しくもある、というのは、蓋が消費者によって使用されると、飲用ストローは蓋の中に戻されることがあり、次いで蓋全体は例えばプラスチックごみ箱で回収されうるからである。
【００１５】
ベース部の第１の部分と第２の部分の面積比は１：１より大きい、好ましくは２：１であることが好ましい。
【００１６】
本発明による面積比は、一方の側では蓋の中に飲用ストローを含めるための必要なスペースを提供し、他方の側ではカップから口飲み開口部を通じて容易に飲むことを可能にする。
【００１７】
第１のカバーは、剥離に適している、好ましくはアルミニウムまたは別の材料で作られた接着膜であることが好ましい。接着膜は、円周側壁に付着されかつ容易に再付着されうる。第１のカバーは、第１のカバーが少なくとも１回取り除かれたことがあるかどうかを消費者が見て識別することができるように設計されることが好ましい。
【００１８】
第１のカバーは取外し可能でありかつ再装着可能であることが好ましい。したがって、蓋は再び閉鎖することができる。これによりカップから飲料製品を複数回連続的に消費することが可能になり、このことは、飲料製品が売り場で供され、移動中または輸送中に消費されるときに、特に有益である。飲用カップ内の中身があふれたり流れ出たりすることが大きく回避されうる。さらに、熱くして供される飲み物（コーヒー、チョコレートおよびココアベースの製品、茶および熱い抽出液、またはホットミルクベースの製品など）の場合、熱い液体があふれかつ／または流れ出ることによる皮膚損傷の危険性が低減される。
【００１９】
第１のカバーは印刷可能であることが好ましい。それにより、第１のカバーにあらゆる種類のラベルを設けることができる。
【００２０】
好ましくは、第１のカバーは切込みにより２つの部分にされ、したがって第１の部分が第１の空洞を形成し、第２の部分が第２の空洞を形成し、第１および第２の部分は横断壁に装着される。
【００２１】
このようにして、消費者は、カップ内の製品を、第１の空洞を開放し飲用ストローを使用することによって消費するか第２の空洞を開放し直接口飲みすることによって消費するかのどちらかを選択することができる。
【００２２】
第１のカバーの各部分には、円周側壁から第１のカバーのそれぞれの部分を取り除くための突出要素が設けられることが好ましい。
【００２３】
突出要素は、消費者によって好都合に把持され引っ張られることができ、したがって第１のカバーの少なくとも一方の部分を側壁から容易に取り除くことができる。
【００２４】
蓋は、開封明示閉鎖体によって飲用カップに固定されることが好ましい。
【００２５】
したがって、消費者は、飲用カップが開放されたことがない、すなわち蓋が取り除かれたことがなく、それによって汚染される可能性がないと確信することができる。さらに、蓋は、飲用カップの内部の汚染を防止する無菌かつ偽造防止の態様で、飲用カップに固定されるべきである。
【００２６】
飲用ストローは、折り畳まれた飲用ストローであり、好ましくはプラスチック製であることが好ましい。
【００２７】
このような飲用ストローは小型であり、第１の空洞内に好都合に収まる。さらに、プラスチックストローは耐久性があり、再利用されうる。飲用ストローは、いくつかの予め曲げられたかつ／または曲げられる部分を有することが好ましく、飲用ストローは、この部分のところで容易に折り畳まれ、蓋の中に作られた空洞内に適合することができる。製品が消費者によって使用されるときに、飲用ストローは、飲みやすいように容易に真っすぐにすることができる。
【００２８】
第１の部分において、ベース部は飲用ストローをぴったりと挿入するためのストロー開口部を有することが好ましい。
【００２９】
ストロー開口部は、ユーザが飲用ストローを取り扱うのを、すなわちストローをカップ内に挿入するのをさらに容易にする。開口部の直径をストローの外径とぴったりに設計することにより、製品が挿入済みストローを通り過ぎてこぼれることが回避されうる。
【００３０】
好ましくは、ストロー開口部は、第２のカバー、好ましくはアルミニウム膜または別の材料の膜で密封され、飲用ストローは、第２のカバーを穿孔するように形作られた第１の端部を有する。
【００３１】
加えて、ストローの直径およびストロー開口部の直径は、いつでも簡単に口で吸うことができるように、例えばカップ内に入れられた製品の密度および層序に応じて、大きさの点で適合することができる。同じ適合が口飲み部分にも提供されうる。
【００３２】
したがって、飲用ストローおよび口飲み部分は２つの膜の間に保持され、それによりストローおよび口飲み部分の非常に衛生的な保管が可能になる。膜が閉じられている限り、外部からの汚染がストローまたは口飲み部分に達することはない。さらに、第２のカバーを有するストロー開口部は、カップ内に入れられた製品が流れ出たりひっくり返ったりしない方法で、カップ内へのストローの容易な挿入を可能にする。このことは、消費者の皮膚に接触すると潜在的に危険となりうる、カップ内に入れられた熱い製品にとって特に有益である。
【００３３】
加えて、第１の膜は、消費者に、折り畳まれたストローが収容される第１の空洞と口飲み部分が置かれる第２の空洞とに選択的にアクセスできるようにすることができる。膜は、両方の部分にアクセスできるようにし、それによって消費者に広範な消費可能性を提供することもできる。いくつかの飲料製品は、固体成分もしくは含有物を有することができ、またはストローだけを通じて消費することが困難となりうる方法で層状にされうることが知られている。これは、固体成分がストローの内部をふさぎうる、または、製品がより密度の高い層をストローで吸いにくくなる方法で層状にされうるためである。本発明は、この問題に対する解決策を２つの異なるアクセス可能な空洞で与える。
【００３４】
飲用ストローは、その第１の端部を第２のカバーの真上にして配置されることが好ましい。第１の端部は、第２のカバーを穿孔しかつ第２のカバーの近くに位置付けられるように既に位置合せされている。第１の端部は第１のカバーに触れることもできるが、まだ第１のカバーを穿孔していない。したがって、消費者は、飲用ストローを飲用カップ内に容易にかつ迅速に挿入することができる。
【００３５】
第２の空洞は、口飲み開口部を含む口飲み用の構造を収容することが好ましい。
【００３６】
口飲み構造は、製品をこぼす危険性なしに好都合に飲むことができるように形作られる。口飲み構造は、消費者の口の湾曲と合致する曲面を有することが好ましい。
【００３７】
口飲み開口部は、剥離可能な第３のカバー、好ましくはアルミニウム膜または別の材料の膜で密封されることが好ましい。
【００３８】
再び外部と接触することになる飲用構造と口とを直接接触した状態におくと、微生物の汚染および塵埃の源となりうる。本発明の解決策では、口飲み領域は２つの膜の間に位置しかつ２つの膜によって封鎖され、それによって非常に衛生的な解決策を提供する。
【００３９】
本発明はさらに、飲用可能な液体製品もしくは半液体製品を保持するためのカップ、好ましくはプラスチックカップ、ボール紙カップ、アルミニウム缶もしくはスチール缶、または別の材料のカップと、カップに装着されかつカップを閉鎖する上記説明による蓋と、を備える飲用装置を対象とする。
【００４０】
飲用カップは、蓋に関して上述されたすべての利点を有する。さらに、飲用カップは、好ましくは製品生産工場で効果的に積み重ねることができる。したがって、蓋は高速生産マシンによって使用され、それによってカップを取り扱いに非常に適したものにするとともに、積み重ねることができないカップに比べてより高速で費用のかからない生産を可能にすることができる。
【００４１】
以下では、本発明について添付図面を参照してより詳細に説明する。
【図面の簡単な説明】
【００４２】
【図１】飲用ストローを具備する本発明の蓋の上面図である。
【図２】本発明による蓋の上面図である。
【図３】本発明の蓋の側面図である。
【図４】本発明の蓋の側面図である。
【図５】本発明の蓋の側面図である。
【発明を実施するための形態】
【００４３】
図１に、本発明による飲用カップを閉鎖するための蓋が上から示されている。蓋１は、蓋１を飲用カップに装着するために設計されたベース部２を備える。ベース部２は、ほとんどの飲用カップが円形上部縁を有しているので、円板状の形を有することが好ましい。ベース部２は上部縁に装着されうる。ベース部２は、例えば、蓋１を確実に装着するための上部リングを受容するために、ベース部２の下面に円周溝を有することができる。しかし、本発明の蓋１の形状は限定されるものではなく、異なる形状の飲用カップに適応することができる。
【００４４】
ベース部２は円周側壁３を有し、円周側壁３は、少なくともベース部２の上面（すなわち、蓋１がその下面で装着される飲用カップの外表面）にベース部２の外縁部に沿って配置される。円周側壁３は、ベース部２と一体に構成されることが好ましいが、別個の部品としてベース部２に設けられ装着されることもできる。好ましくは、ベース部２および円周側壁３は、同じ材料、より好ましくはプラスチックで作られる。円周側壁３は、ベース部２の上下両面から突出することもできる。下面から突出する部分は、蓋１を飲用カップの縁に装着するために使用することができる。
【００４５】
ベース部２は、上面に、ベース部２を第１の部分２ａおよび第２の部分２ｂに分けるための横断壁４をさらに有する。横断壁４は、ベース部２の上面を横切って一直線で延びることが好ましいが、１つまたは複数の湾曲部を呈することもできる。横断壁４は、横断壁４の両端で円周側壁３に接続していることが好ましい。横断壁４は、ベース部２および／または円周側壁３と一体に構成されることが好ましいが、別に設けられ装着される部品とすることもできる。横断壁４は、円周側壁３および／またはベース部２と同じ材料、より好ましくはプラスチックで作られることが好ましい。横断壁４は、ベース部２を表面積の等しい２つの部分２ａ、２ｂに分けるために、円形ベース部２の直径と一致することができる、すなわちベース部２の中心点を通ることができる。しかしながら、ベース部２の第１の部分２ａの表面積と第２の部分２ｂの表面積との比は１：１より大きい、より好ましくは１：１と４：１との間である、最も好ましくは約２：１であることが好ましい。
【００４６】
図３に示されているように、蓋１を封鎖するために、したがってベース部２の第１の部分２ａと第１のカバー５との間の第１の空洞６ａならびにベース部２の第２の部分２ｂと第１のカバー５との間の第２の空洞６ｂを形成するために、第１のカバー５が少なくとも円周側壁３に装着される。第１の空洞６ａは、横断壁４および円周側壁３の一部分によってさらに境界を定められる。第２の空洞６ｂは、横断壁４および円周側壁３の別の部分によって境界を定められる。
【００４７】
第１のカバー５は、円周側壁４に対して取外し可能でありかつ再装着可能である接着膜であることが好ましい。接着膜は、好ましくは可撓性であり、アルミニウムのような薄い金属シートから作られうるが、合成エラストマ、樹脂もしくは熱可塑性材料または複合材料で作られることもできる。第１のカバー５は水不透過性かつ／または空気不透過性であることが好ましい。
【００４８】
さらに、第１のカバー５は、少なくとも第１のカバー５の外表面にラベルを印刷できるように印刷可能であることが好ましい。第１のカバー５は、第１のカバー５が開封明示閉鎖体となるように設計されることが好ましい。つまり、第１のカバー５が蓋１から少なくとも１回取り除かれたことがあるか否かが、第１のカバー５が再び閉鎖された場合でも、消費者には分かる。例えば、第１のカバー５の一部は、第１のカバー５が初めて取り除かれるときに、引きはがされ蓋１に付着されたままにすることができる。蓋１を開封明示閉鎖体にする他の技法を使用することもできる。
【００４９】
第１の空洞６ａ内には、飲用ストロー７、好ましくは折り畳まれたプラスチックまたはその他の適切な材料のストローが入れられる。第２の空洞６ｂは、少なくとも、口飲みに使用されうる開口部８を収容する。この目的のために、開口部８の直径は０．５〜５ｃｍ、より好ましくは１〜３ｃｍであることが好ましい。さらに、開口部は、好ましくはベース部２から突出する口飲み構造１２に含まれ、消費者の口に適合するように設計される。特に、ベース部２から突出する口飲み構造１２の上面は、消費者の口に適合するような形状にされ、好ましくは湾曲している。したがって、こぼさずに飲むことが助けられる。
【００５０】
折り畳まれたプラスチックもしくは他の適切な材料のストロー７は、少なくとも１つの部分、好ましくは複数の部分が予め曲げられていることが好ましい。ストロー７が伸ばされると、ストロー７は蓋１から飲用カップ内に挿入されうる。したがって、飲用ストロー７の片側には、例えば鋭いかつ／または先細りになった縁部を有しベース部２に穴を開けるような形状にされた第１の端部７ａが設けられることが好ましい。例えば図２に示されているように、ストロー開口部１０がベース部２の第１の部分２ａに含まれることが好ましい。ストロー開口部１０は、ストロー開口部１０の直径がストロー７の外径に適合するように設計され、したがってストロー７は蓋１を通じてぴったりと挿入されうる。したがって、ストロー７の挿入中にかつカップから飲む間に飲用カップからのこぼれが回避されうる。ストロー７は、ストロー開口部１０を封鎖するものであり、好ましくはアルミニウム膜または他の材料の膜である、第２のカバー１１に穴を開けることによって挿入されうる。
【００５１】
口飲み用の開口部８は、図５に示されているように第３のカバー１３で密封されることが好ましい。第３のカバー１３は、消費者によって剥離可能なアルミニウム膜または他の材料の膜であることが好ましい。しかし、第３のカバー１３は、第１のカバー５に類似した他の材料で作ることができる。第２のカバー１１および第３のカバー１３は、外部に対して、特に飲用カップの中身に対しても、口開放構造１２とストロー開口部１０およびストロー７のそれぞれとを隔離する。第２のカバー１１および第３のカバー１３は水不透過性かつ／または空気不透過性であることが好ましい。ストロー７、口飲み構造１２およびストロー開口部１０は常に２つの膜の間に位置し、それによって完全な衛生状態が提供される。上述した部分が使用される前に汚染が上述した部分に達することはない。さらに、ストロー７が失われることもない。
【００５２】
図３は左側に第１の空洞６ａを示し、飲用ストロー７が第１の空洞６ａの中に置かれるように折り畳まれる方法を例示している。ストロー７は少なくとも１回、好ましくは複数回折り畳まれることが好ましい。図３は右側に、第１の空洞６ａから横断壁４で分離された第２の空洞６ｂを示し、第２の空洞６ｂは、ベース部２から突出する口飲み構造１２を具備する。口飲み構造は、円周側壁３および横断壁４とほぼ同じくらいの高さで突出する。
【００５３】
ストローの第１の端部７ａは、第２のカバー１１を穿孔するために設計され、蓋１内の特定位置に予め配置されることが好ましい。第１の端部７ａは先細りまたは先鋭になっていることが好ましい。第１の端部７ａは、ストロー７をストロー開口部１０に押し込むことが消費者にとって非常に容易になるように、ストロー開口部１０の直上にかつ近くに位置することが好ましい。さらに、消費者が先細りまたは先鋭になった第１の端部７ａを消費者の口に付けたり入れたりすることが防止される。
【００５４】
口飲み構造１２は口飲み用の開口部８を具備する。開口部８は、ストロー７を挿入するための開口部１０より大きいことが好ましい。開口部８の寸法および形状は、様々な製品の粘度、密度または含有物の有無に応じて設計されることが好ましい。口飲み構造１２は、消費者が開口部８から飲料を飲む間に空気が飲用カップに入ることを可能にする別の開口部を具備することもできる。それにより、飲むのがさらに容易になる。別の開口部は、第３のカバー１３によってまたは余分のカバーによって最初に閉鎖されうる。別法として、ストロー開口部は、同じ効果を与えるように、口飲みする間に穿孔されうる。
【００５５】
図４は、飲用ストロー７を有する第１の空洞６ａを示すとともに、蓋１の第１の空洞６ａおよび第２の空洞６ｂを外側に対して密封する第１のカバー５を示す。第１のカバー５は、容易に開放できるようにする突出部９ａ、９ｂを有することが好ましい。ユーザは突出部９ａ、９ｂを把持することができ、したがって第１のカバー５を剥離できる。好ましくは、図１に示されているように、第１のカバー５は、第１のカバー５の２つの別々の部分をそれぞれ取り除くための２つの突出部９ａ、９ｂを具備する。
【００５６】
第１のカバー５は、切込みにより２つの部分５ａ、５ｂにすることが好ましい。第１の部分５ａは、横断壁４および円周側壁３に装着され、ベース部２の第１の部分２ａと組み合わせて第１の空洞６ａを形成する。第１のカバー５の第２の部分５ｂは、好ましくはベース部２の第２の部分２ｂと共に第２の空洞６ｂを形成するとともに、円周側壁３および横断壁４に装着される。第１の部分５ａは、第１の突出要素９ａを把持することによって剥離できる。第２の部分５ｂは、第２の突出要素９ｂを把持し引っ張ることによって剥離できる。２つの部分に分けることにより、消費者は、どちらの空洞を開放すべきかを選択することができる。したがって、ユーザは、飲用カップから製品を飲むために、ストロー７を使用するか、または口で製品を飲み干すかを選択することができる。
【００５７】
本発明は、消費者によって直接消費されるかまたはオペレータによって消費者に供されるよう意図されている製品と共に使用されうる。本発明は、半冷凍状態で販売される製品（アイスクリーム、冷菓、ヨーグルトおよびヨーグルトベースの製品、フローズンヨーグルト、スラッシュ、スムージー、ソルベ、フラッペ、グラニータ、氷入り製品、若干の氷を加えて処方された製品、またはフードプレップ（food  preps）など）と、チルドまたは室温で販売される製品（水、フレーバード水、水ベースの製品、ミルクおよびミルクベースの製品、ソフトドリンク、ソーダ、スムージー、フルーツジュース、野菜ジュースおよび飲み物、カクテル、ビール、ワイン、アルコールベースの製品、野菜ベースの飲み物、コーヒーおよびコーヒーベースの製品、茶、ハーブ、果物、花、根もしくは葉からの抽出液、ヨーグルトおよびヨーグルトベースの製品、栄養ドリンク、スポーツドリンク、マテ茶、チョコレートおよびココアベースの製品、砂糖で甘くした飲み物、スープ、またはフードプレップなど）と、を含む。
【００５８】
本発明は、高温状態で販売される製品（コーヒーおよびコーヒーベースの製品、茶、ハーブ、果物、花、根もしくは葉からの抽出液、チョコレートベースおよびココアベースの製品、マテ茶、スープ、またはフードプレップなど）も含む。上記のリストは、現存するかまたは将来市場で販売されうるとともに、本発明の分野に関連するようになりうる既存の様々な飲料製品をすべて網羅するものではない。
【００５９】
本発明の主な要素は、蓋１の一部が飲用ストロー７を具備しているのに対して、他の部分は直接口で飲むための開口部８を具備していることである。ストロー７を有する側２ａと口飲み構造１２を有する側２ｂとの間の再区分は、ベース部２の表面積で表された２：１であることが好ましい。ストロー７および口飲み構造１２が収容される空洞６ａ、６ｂは、一方の側に対しては第１のカバー５で密封され、他方の側に対しては第２のカバー１１および第３のカバー１３でそれぞれ密封される。
【００６０】
本発明は、ストロー７および蓋１に関する便利な解決策を提供する。通常は外部と接触する飲用ストローおよび直接飲む領域に関係する衛生問題が解決される。本発明は、第１のカバー５が再び閉鎖することができるため、飲用カップの中身が流れ出たりこぼれたりする危険性なしに飲用カップを運ぶことを可能にする。最後に、製品は、オペレータが居なくても、ストロー７を閉鎖したり、損傷させたり、汚染したりする危険性なしに供されうる。したがって、本発明は環境問題のより良い解決策を提供する、というのは、ストローが消費者に与えられたときに、最新技術のようにストローをフローパックまたは包装することがこれ以上必要ないからである。本発明は、互いに結合されるカップ、蓋、およびストローに関する便利なオールインワンの解決策も提供する。したがって、本発明は、消費者が勝手に使えるストローがもはや必要ないため、飲料を供するための売り場でより良い管理を促進する。
【００６１】
したがって、本発明は、最新技術の蓋、飲用カップおよびストローに関して顕著な改善をもたらす。
【符号の説明】
【００６２】
１…蓋、２…ベース部、２ａ、５ａ…第１の部分、２ｂ、５ｂ…第２の部分、３…円周側壁、４…横断壁、５…第１のカバー、６ａ…第１の空洞、６ｂ…第２の空洞、７…飲用ストロー、７ａ…第１の端部、８…口飲み開口部、９ａ…第１の突出要素、９ｂ…第２の突出要素、１０…ストロー開口部、１１…第２のカバー、１２…口飲み構造、１３…第３のカバー。
【図１】
2014114077.tif 000003
【図２】
2014114077.tif 000004
【図３】
2014114077.tif 000005
【図４】
2014114077.tif 000006
【図５】
2014114077.tif 000007
【外国語明細書】
2014114077000001.pdf